【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
トランス（１１）と、
二値レベルで変化する入力信号が第１レベルを示す期間に、前記トランスの１次側コイル（Ｌ１）に一方向の電流を流すパルス信号を、前記入力信号の変化周期よりも速い周期で発生させ、
前記入力信号が第２レベルを示す期間に、前記１次側コイルに前記方向とは逆方向の電流を流すパルス信号を、前記入力信号の変化周期よりも速い周期で発生させる１次側回路（１２）と、
前記トランスの２次側コイル（Ｌ２）に発生する極性が異なる電圧に応じて前記第１及び第２レベルを判別することで、前記入力信号を再生する２次側回路（１３）とを備え、
前記１次側回路は、前記入力信号が第１レベルを示す期間と第２レベルを示す期間とで、前記パルス信号を発生させる周期を変化させる信号伝達回路。
【請求項２】
前記１次側回路は、前記入力信号の変化周期よりも速い周期の第１クロック信号を出力する発振回路と、
前記第１クロック信号を分周して第２クロック信号を出力する分周器（１７）と、
前記入力信号が第１レベルを示す期間だけ、前記第１又は第２クロック信号の一方を出力させるようにゲート制御する第１論理回路（１４及び１５，１６）と、
前記入力信号が第２レベルを示す期間だけ、前記第１又は第２クロック信号の他方を出力させるようにゲート制御する第２論理回路（１６，１４及び１５）と、
各出力端子が前記１次側コイルの両端に接続されるＨブリッジ回路（２０）と、
前記第１論理回路を介して出力されるクロック信号の一方の変化エッジに同期して、前記Ｈブリッジ回路により前記１次側コイルに前記一方向の電流を流すパルス信号を発生させるため、前記Ｈブリッジ回路を構成するスイッチング素子（２１，２２）に第１オン信号を出力する第１オン信号出力回路（１８（Ｐ１）−１９（Ｎ１），１８（Ｐ２）−１９（Ｎ２））と、
前記第２論理回路を介して出力されるクロック信号の一方の変化エッジに同期して、前記Ｈブリッジ回路により前記１次側コイルに前記逆方向の電流を流すパルス信号を発生させるため、前記Ｈブリッジ回路を構成するスイッチング素子に第２オン信号を出力する第２オン信号出力回路（１８（Ｐ２）−１９（Ｎ２），１８（Ｐ１）−１９（Ｎ１））とを備えることを特徴とする請求項１記載の信号伝達回路。
【請求項３】
トランス（１１）と、
二値レベルで変化する入力信号が第１レベルを示す際に、前記トランスの１次側コイル（Ｌ１）に一方向の電流を流すようにパルス信号を発生させ、
前記入力信号が第２レベルを示す期間に、前記１次側コイルに前記方向とは逆方向の電流を流すパルス信号を、前記入力信号の変化周期よりも速い周期で発生させる１次側回路（３２）と、
前記トランスの２次側コイルに発生する極性が異なる電圧に応じて前記第１及び第２レベルを判別することで、前記入力信号を再生する２次側回路（１３）とを備え、
前記１次側回路は、前記入力信号の変化周期よりも速い周期のクロック信号を出力する発振回路と、
前記入力信号のレベルを反転させた反転信号を出力する反転信号出力回路（１４）と、
前記入力信号が第２レベルを示す期間だけ、前記クロック信号を出力させるようにゲート制御する論理回路（１５）と、
各出力端子が前記１次側コイルの両端に接続されるＨブリッジ回路（２０）と、
前記入力信号の一方の変化エッジに同期して、前記Ｈブリッジ回路により前記１次側コイルに前記一方向の電流を流すパルス信号を発生させるため、前記Ｈブリッジ回路を構成するスイッチング素子（２１，２２）に第１オン信号を出力する第１オン信号出力回路（１８（Ｐ１）−１９（Ｎ１））と、
前記論理回路を介して出力されるクロック信号の一方の変化エッジに同期して、前記Ｈブリッジ回路により前記１次側コイルに前記逆方向の電流を流すパルス信号を発生させるため、前記Ｈブリッジ回路を構成するスイッチング素子に第２オン信号を出力する第２オン信号出力回路（１８（Ｐ２）−１９（Ｎ２））とを備える信号伝達回路。
【請求項４】
前記２次側回路は、前記２次側コイルに発生する電圧が一方の極性を示す際に、セット信号を発生させるセット信号発生回路（２４Ｒ）と、
前記２次側コイルに発生する電圧が他方の極性を示す際に、リセット信号を発生させるリセット信号発生回路（２４Ｆ）と、
前記セット信号及び前記リセット信号が入力されるＲＳフリップフロップ（２７）とを備える請求項１から３の何れか一項に記載の信号伝達回路。
【請求項５】
請求項１から４の何れか一項に記載の信号伝達回路を備え、
この信号伝達回路の２次側回路により再生された入力信号により、スイッチング素子（３）を駆動制御するスイッチング素子の駆動装置。
【手続補正２】
【補正対象書類名】明細書
【補正対象項目名】０００９
【補正方法】変更
【補正の内容】
【０００９】
また、請求項１記載の信号伝達回路によれば、１次側回路は、入力信号が第１レベルを示す期間と第２レベルを示す期間とで、パルス信号を発生させる周期を変化させる。例えば、２次側回路により再生された入力信号を用いてスイッチング素子のオンオフ制御を行うことを想定する。この場合、スイッチング素子は、入力信号が示す二値レベルの何れか一方でオンし、他方でオフする。そして、一般に、（１）オン状態のスイッチング素子がノイズの影響を受けてターンオフする方が、（２）オフ状態のスイッチング素子がターンオンするケースよりも安全性が高いと言える。例えば、２つのスイッチング素子が直列に接続されている場合、（２）のケースでは短絡電流が流れる可能性が有るからである。
【手続補正３】
【補正対象書類名】明細書
【補正対象項目名】００１１
【補正方法】変更
【補正の内容】
【００１１】
請求項３記載の信号伝達回路によれば、１次側回路は、二値レベルで変化する入力信号が第１レベルを示す期間に、トランスの１次側コイルに一方向の電流を流すようにパルス信号を発生させる。また、入力信号が第２レベルを示す期間に、１次側コイルに前記方向とは逆方向の電流を流すパルス信号を、同じく入力信号の変化周期よりも速い周期で発生させる。そして、２次側回路は、トランスの２次側コイルに発生する極性が異なる電圧に応じて第１及び第２レベルを判別することで、入力信号を再生する。
【手続補正４】
【補正対象書類名】明細書
【補正対象項目名】００１２
【補正方法】変更
【補正の内容】
【００１２】
ここで、請求項１について説明のため用いた例示を請求項３に適用した場合は、第１レベルでスイッチング素子をオンさせ、第２レベルでスイッチング素子をオフさせるようにする。これにより、スイッチング素子がオンしている期間の入力信号は１次側回路により変調されないので、その期間内にノイズの影響を受けて信号レベルが反転するとスイッチング素子はターンオフして、入力信号が次に第１レベルを示すまでターンオンしない。この状態を許容できる場合は、消費電力を低減する効果を請求項１以上に得ることができる。そして、信号が第２レベルを示す期間については、請求項１と同様の効果が得られる。
また、請求項３記載の信号伝達回路によれば、前記１次側回路は、前記入力信号の変化周期よりも速い周期のクロック信号を出力する発振回路と、前記入力信号のレベルを反転させた反転信号を出力する反転信号出力回路と、前記入力信号が第２レベルを示す期間だけ、前記クロック信号を出力させるようにゲート制御する論理回路と、各出力端子が前記１次側コイルの両端に接続されるＨブリッジ回路と、前記入力信号の一方の変化エッジに同期して、前記Ｈブリッジ回路により前記１次側コイルに前記一方向の電流を流すパルス信号を発生させるため、前記Ｈブリッジ回路を構成するスイッチング素子に第１オン信号を出力する第１オン信号出力回路と、前記論理回路を介して出力されるクロック信号の一方の変化エッジに同期して、前記Ｈブリッジ回路により前記１次側コイルに前記逆方向の電流を流すパルス信号を発生させるため、前記Ｈブリッジ回路を構成するスイッチング素子に第２オン信号を出力する第２オン信号出力回路とを備える。